(57)【要約】      （修正有）【課題】ペットの存在を可及的に不知ならしめることが可能であると共に、ペットが感じる不安感も可及的に抑制可能なペットカート用カバーを提供する。【解決手段】ペットカートにおけるペットを収容するカゴ部に用いられるカバー１０において、カゴ部の上部開口部を平面的に覆うと共に、カゴ部に対して着脱自在となす着脱手段１４を設けて構成した。また、当該カバーの上面をメッシュ生地材で覆うとともに、メッシュ生地材の上面に開閉自在な布蓋１２を設けて構成した。【選択図】図１
0003188438.tif 000002
【実用新案登録請求の範囲】
【請求項１】
ペットカートにおけるペットを収容するカゴ部に用いられるカバーであって、
カゴ部の上部開口部を平面的に覆うと共に、カゴ部に対して着脱自在となす着脱手段を有するペットカート用カバー。
【請求項２】
上面をメッシュ生地材で覆うとともに、当該メッシュ生地材の上面に開閉自在な布蓋を設けた請求項１に記載のペットカート用カバー。
【考案の詳細な説明】
【技術分野】
【０００１】
本考案は犬等のペットを載せて散歩等を行う際に使用されるペットカートに関し、より詳しくはペットカートを構成するカゴ部に用いられるカバーに関する。
【背景技術】
【０００２】
図４は一般的なペットカート１を示すものである。下端に前輪２aを有する一対の前脚フレーム２と、下端に後輪３aを有する一対の後脚フレーム３とにより成る左右一対の脚部フレームと、当該脚部フレーム間に掛け渡される形状で設けられる略コ字状のハンドルフレーム４と、脚部フレームにより支持される枠フレーム５と、枠フレーム５上に取付けられ、その内部にペットを収容するるカゴ部６と、カゴ部６の上端縁部に設けられる上枠フレーム６aに開閉自在に取付けられる天蓋部７とにより成るものである。
【０００３】
特許文献１にはカゴ部が取付けられるフレームに対してハンドルフレームを枢設したペットカートが開示されている。
【０００４】
特許文献２には、前脚フレームと後脚フレームとを折畳んだ際に自立することを可能とするためのスタンド機構を備えたペットカートが開示されている。
【先行技術文献】
【特許文献】
【０００５】
【特許文献１】登録実用新案公報第３１７２５９１号
【特許文献２】特開２０１２−１９７００２号公報
【考案の概要】
【考案が解決しようとする課題】
【０００６】
ペットを家族の一員と考える傾向が強まるとともに、ペットと常に一緒にいたい、或るいはどこにでも同伴したいと考える飼い主が増えている。係る傾向に伴い、所定の条件を満たせばペットを同伴できる施設や場所も増加している。
【０００７】
係る需要に対応するものとして先述のペットカートが汎用されている。ところが、上記天蓋部を設けて成るものは、図５に示すようにその一部がメッシュ生地７ａにより形成されていること等により、天蓋部７を閉じても、その内部に犬等がいることが外部から容易に知り得るので、周りの人に対する配慮の必要性等から不適切な場合が生じうる。
【０００８】
そこで本考案は、ペットの存在を可及的に不知ならしめることが可能であると共に、ペットが感じる不安感も可及的に抑制可能なペットカート用カバーを提供することを目的とする。
【課題を解決するための手段】
【０００９】
上記の目的を達成する本考案の構成は次の通りである。
【００１０】
（１）  請求項１に記載の考案は、ペットカートにおけるペットを収容するカゴ部に用いられるカバーにおいて、カゴ部の上部開口部を平面的に覆うと共に、カゴ部に対して着脱自在となす着脱手段を設けて構成した。
【００１１】
（２）  請求項２に記載の考案は、請求項１に記載のペットカート用カバーにおいて、当該カバーの上面をメッシュ生地材で覆うとともに、メッシュ生地材の上面に開閉自在な布蓋を設けて構成した。
【考案の効果】
【００１２】
上記のように構成される本考案が、如何に作用して課題を解決するかを図面を参照しながら概説する。
【００１３】
本考案に係るペットカート用カバー１０は、図３に示される従来のペットカートを構成する天蓋部７を備えたカゴ部６に装着して使用するものである。図示されるようにペットカート用カバー１０は、カゴ部６の上部開口部を平面的に覆うことから、カゴ部６内に収容されたペットを外部から視認しづらく、つまりはペットの存在を可及的に不知ならしめることが可能でなるのである。
【００１４】
また、ペットカート用カバー１０は、カゴ部６に対して着脱自在であることから、不要な場合は取外し可能であり、天蓋部７で覆われるのみというペットにとって快適な空間の再現が可能となるものである。
【００１５】
請求項２記載の考案においては、図２に示すように、ペットカート用カバー１０の上面をメッシュ生地材１１で覆うとともに、メッシュ生地材１１の上面に開閉自在な布蓋１２を設けて構成してある。かような構成にしてあることから、布蓋１２を開けておけば飼い主がカゴ部６内に収納されたペットを容易に見ることが可能となり、ペットに不要な不安感を与えることを抑制することが可能となる。他方で、布蓋１２を閉じれば、外部からペットの存在を可及的に不知ならしめることが可能となるのである。
【図面の簡単な説明】
【００１６】
【図１】本考案の斜視図
【図２】一方の布蓋を開いた状態の斜視図
【図３】本考案の使用状態図
【図４】従来のペットカートの正面図
【図５】従来のカゴ部と天蓋部を示す斜視図
【考案を実施するための形態】
【００１７】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００１８】
本考案に係るペットカート用カバー１０は、図１に示すように平面視において両端が円弧状であり、その間が直線状に設けて成る蓋体であり、カゴ部６に被せてカゴ部６の上部開放面を覆うことが可能な形状に設けてある。むろんこれは一例であり、カゴ部の形態に応じて平面視方形やその他任意の形状を採用しうる。
【００１９】
図１乃至図３に示すように、側壁１３には正面側及び背面側（不図示）に切欠凹部１３ａが設けてある。この切欠凹部１３ａは、ペットカート用カバー１０をカゴ部６へ装着する際に、天蓋部７のフレーム７ａをカゴ部６に取り付けるための取付部材６ａが邪魔になることから設けられるものである。
【００２０】
ペットカート用カバー１０の上面は、網目状のメッシュ生地材１１で設けてある。このメッシュ生地１１を覆う形態で布蓋１２が開閉自在に設けてある。布蓋１２の基端部１２ａのみを縫着することで開閉自在となしてある。
【００２１】
ペットカート用カバー１０を、カゴ部６に対して着脱自在となすための着脱手段１４は、図１乃至図３に示すようにホックによってもよいし、その他ボタンや面ファスナ等任意の素材を利用できる。具体的にはカゴ部６と側壁１３の一方に凹型ホックを他方に凸型ホックを設けて両者を係合して着脱自在にするといった方法や、同様にカゴ部６と側壁１３の双方に面ファスナを設けて両者を係合して着脱自在にするといった方法を採用できる。
【００２２】
本考案に係るペットカート用カバー１０は、全体を軽量で可撓性を有する合成樹脂板や合成繊維布材などの生地を使用して形成することにより、軽量で安価に形成することが可能なものである。
【符号の説明】
【００２３】
１０・・ペットカート用カバー
１１・・メッシュ生地材
１２・・布蓋
１３・・側壁
１４・・着脱手段
【図１】
0003188438.tif 000003
【図２】
0003188438.tif 000004
【図３】
0003188438.tif 000005
【図４】
0003188438.tif 000006
【図５】
0003188438.tif 000007